(57)【要約】【課題】信頼性のある防水構造を有する折畳み式電子装置を提供することである。【解決手段】入力部を有する第１筐体と表示部を有する第２筐体がヒンジ機構を介して折り畳み可能に連結された折畳み式電子装置であって、第１筐体と一体的に形成された第１ヒンジ筒と、第２筐体と一体的に形成された第２ヒンジ筒と、第１ヒンジ筒の一端及び第２ヒンジ筒の一端に挿入され、第２筐体を第１筐体に対して折り畳み可能に連結するパイプとを含んでいる。折畳み式電子装置は更に、パイプ内を通して伸長し第１筐体に搭載された第１電子部品と第２筐体に搭載された第２電子部品を接続する配線材と、パイプと第１ヒンジ筒との間に設けられた第１ガスケットと、パイプと第２ヒンジ筒との間に設けられた第２ガスケットと、第１ヒンジ筒の他端を密封するヒンジキャップとを含んでいる。【選択図】図４   
2005282776.tif 000002
【特許請求の範囲】
【請求項１】
折畳み式電子装置であって、
第１端及び第２端を有する一体的に形成された第１ヒンジ筒を有する第１筐体と、
第１端及び第２端を有する一体的に形成された第２ヒンジ筒を有する第２筐体と、
前記第１ヒンジ筒の第１端及び前記第２ヒンジ筒の第１端に挿入され、前記第２筐体を前記第１筐体に対して折り畳み可能に連結するパイプと、
前記パイプ内を通して伸長し、前記第１筐体に搭載された第１電子部品と前記第２筐体に搭載された第２電子部品を接続する配線材と、
前記パイプと前記第１ヒンジ筒との間に設けられた第１ガスケットと、
前記パイプと前記第２ヒンジ筒との間に設けられた第２ガスケットと、
前記第１ヒンジ筒の第２端を密封する第１ヒンジキャップと、
を具備したことを特徴とする折畳み式電子装置。
【請求項２】
一端に第３ガスケットを他端に第４ガスケットを有し、前記配線材を内部に収容して前記パイプ内を通して伸長するチューブを更に具備し、
前記第３ガスケットは前記第１筐体の配線材引き込み部を密封し、前記第４ガスケットは前記第２筐体の配線引き込み部を密封する請求項１記載の折畳み式電子装置。
【請求項３】
前記第１ヒンジ筒の第１端に挿入され、前記第１ガスケットに圧接する内周面を有する第１金属パイプと、
前記第２ヒンジ筒の第１端に挿入され、前記第２ガスケットに圧接する内周面を有する第２金属パイプを更に具備した請求項１又は２記載の折畳み式電子装置。
【請求項４】
前記第１筐体と一体的に形成され、第１端及び第２端を有する第３ヒンジ筒と、
一端が前記第２ヒンジ筒の第２端に挿入され、他端が前記第３ヒンジ筒の第１端に挿入されたヒンジモジュールと、
前記ヒンジモジュールと前記第２ヒンジ筒との間に設けられた第５ガスケットと、
前記第３ヒンジ筒の第２端を密封する第２ヒンジキャップと、
を更に具備した請求項１〜３の何れかに記載の折畳み式電子装置。
【請求項５】
折畳み式電子装置であって、
第１端及び第２端を有する一体的に形成された第１ヒンジ筒を有する第１筐体と、
配線材引き込み用中空軸と、第１端及び第２端とを有する第２ヒンジ筒と、
前記第２ヒンジ筒の前記配線材引き込み用中空軸が回転可能に挿入された第２筐体と、
前記第１ヒンジ筒の第１端及び前記第２ヒンジ筒の第１端に挿入され、前記第２筐体を前記第１筐体に対して折り畳み可能に連結するパイプと、
前記パイプ内を通して伸長し、前記第１筐体に搭載された第１電子部品と前記第２筐体に搭載された第２電子部品を接続する配線材と、
前記パイプと前記第１ヒンジ筒との間に設けられた第１ガスケットと、
前記パイプと前記第２ヒンジ筒との間に設けられた第２ガスケットと、
前記第１ヒンジ筒の第２端を密封する第１ヒンジキャップと、
前記第２ヒンジ筒の前記配線材引き込み用中空軸と前記第２筐体との間に設けられた第３ガスケットと、
を具備したことを特徴とする折畳み式電子装置。
【発明の詳細な説明】
【技術分野】
【０００１】
本発明は一般的に折畳み式携帯電話機等の折畳み式電子装置に関し、特に、折畳み式電子装置の防水構造に関する。なお、本明細書及び請求項で使用する「携帯電話機」という用語は、パーソナル・ハンディフォン・システム（ＰＨＳ）を含むものとする。
【背景技術】
【０００２】
折畳み式携帯電話機は、入力部及び送話部を有する第１筐体と、表示部及び受話部を有する第２筐体をヒンジ機構により折り畳み可能に連結し、電気的にはケーブル又はフレキシブルプリント配線板により第１及び第２筐体に搭載された電子部品を接続する構造となっている。
【０００３】
ヒンジ機構は、第１及び第２筐体を折り畳み可能に連結するヒンジ本来の機能と、電話機として使用するために必要なレシーバーとマイクロフォンの距離及び角度を人間工学的に合った位置関係に保持する保持機構を備えている。
【０００４】
いつでもどこでも使用できる携帯電話機は現代社会において必須であり、雨の中、海水浴等で潜った後、又は温泉の浴室等の中でも使用可能な防水構造を有する折畳み式携帯電話機が要望されている。しかし、折畳み式携帯電話機は、ヒンジ機構の防水構造が困難なため現在実用化されていない。
【０００５】
ヒンジ機構は開閉耐久性により高度な防水性が必要とされ、十万回以上の耐久寿命が要求されている。また、落下衝撃によるケースの変形や破損による防水劣化の考慮も必要であり、アウトドアスタイルのような重装備でしか目的が達成できない状況である。
【０００６】
特開２００２−３１９７７１号公報には、フレキシブルプリント配線板とコネクターとの接点の防滴を行うことが可能な折畳み式携帯通信端末機が開示されている。この折畳み式携帯通信端末機は、入力部と表示部とがヒンジを介して連結されて折り畳み可能に構成され、入力部に装着された電子部品と表示部に装着された電子部品とは、フレキシブルプリント配線板によって接続されている。
【０００７】
そして、入力部と表示部のヒンジ近傍には、フレキシブルプリント配線板が通される挿通部がそれぞれ設けられ、これらの挿通部の少なくとも一つにフレキシブルプリント配線板の表裏面に当接する一対のパッキンが設けられている。
【特許文献１】特開２００２−３１９７７１号公報
【発明の開示】
【発明が解決しようとする課題】
【０００８】
上述した公開公報に記載された折畳み式携帯通信端末機では、フレキシブルプリント配線板の表裏両面に一対のパッキンを当接させた簡単な防滴構造であるので、入力部と表示部を回動可能に連結するヒンジ部の完全な防水構造には程遠く、例えば水中に携帯通信端末機を浸けた場合等には、水が装置内部に浸入することを完全に防止することはできないという問題がある。
【０００９】
よって、本発明の目的は、完全な防水構造を有する折畳み式電子装置を提供することである。
【課題を解決するための手段】
【００１０】
本発明によると、折畳み式電子装置であって、第１端及び第２端を有する第１ヒンジ筒を有する第１筐体と、第１端及び第２端を有する一体的に形成された第２ヒンジ筒を有する第２筐体と、前記第１ヒンジ筒の第１端及び前記第２ヒンジ筒の第１端に挿入され、前記第２筐体を前記第１筐体に対して折り畳み可能に連結するパイプと、前記パイプ内を通して伸長し、前記第１筐体に搭載された第１電子部品と前記第２筐体に搭載された第２電子部品を接続する配線材と、前記パイプと前記第１ヒンジ筒との間に設けられた第１ガスケットと、前記パイプと前記第２ヒンジ筒との間に設けられた第２ガスケットと、前記第１ヒンジ筒の第２端を密封する第１ヒンジキャップと、を具備したことを特徴とする折畳み式電子装置が提供される。
【００１１】
好ましくは、折畳み式電子装置は更に、一端に第３ガスケット他端に第４ガスケットを有し、配線材を内部に収容してパイプ内を通して伸長するチューブを含んでいる。第３ガスケットは第１筐体の配線材引き込み部を密封し、第４ガスケットは第２筐体の配線材引き込み部を密封する。配線材はケーブル又はフレキシブルプリント配線板の何れかから構成される。
【００１２】
好ましくは、折畳み式電子装置は更に、第１ヒンジ筒の第１端に挿入され第１ガスケットに圧接する内周面を有する第１金属パイプと、第２ヒンジ筒の第１端に挿入され第２ガスケットに圧接する内周面を有する第２金属パイプを含んでいる。
【００１３】
好ましくは、折畳み式電子装置は更に、第１筐体と一体的に形成され、第１端及び第２端を有する第３ヒンジ筒と、一端が第２ヒンジ筒の第２端に挿入され、他端が第３ヒンジ筒の第１端に挿入されたヒンジモジュールと、ヒンジモジュールと第２ヒンジ筒との間に設けられた第５ガスケットと、第３ヒンジ筒の第２端を密封する第２ヒンジキャップとを含んでいる。
【００１４】
ヒンジモジュールは、第３ヒンジ筒に挿入固定されたケースと、ケース内に収容された固定側カム板と、第２ヒンジ筒の第２端に回転不能に挿入された可動側カム板と、固定側カム板と可動側カム板で挟持された複数のボールと、ケースと可動側カム板を連結する連結軸と、ケース内に収容され固定側カム板を可動側カム板方向に付勢するコイルバネを含んでいる。
【００１５】
本発明の他の側面によると、折畳み式電子装置であって、第１端及び第２端を有する一体的に形成された第１ヒンジ筒を有する第１筐体と、配線材引き込み用中空軸と、第１端及び第２端とを有する第２ヒンジ筒と、前記第２ヒンジ筒の前記配線材引き込み用中空軸が回転可能に挿入された第２筐体と、前記第１ヒンジ筒の第１端及び前記第２ヒンジ筒の第１端に挿入され、前記第２筐体を前記第１筐体に対して折り畳み可能に連結するパイプと、前記パイプ内を通して伸長し、前記第１筐体に搭載された第１電子部品と前記第２筐体に搭載された第２電子部品を接続する配線材と、前記パイプと前記第１ヒンジ筒との間に設けられた第１ガスケットと、前記パイプと前記第２ヒンジ筒との間に設けられた第２ガスケットと、前記第１ヒンジ筒の第２端を密封する第１ヒンジキャップと、前記第２ヒンジ筒の前記配線材引き込み用中空軸と前記第２筐体との間に設けられた第３ガスケットと、を具備したことを特徴とする折畳み式電子装置が提供される。
【発明の効果】
【００１６】
本願発明によると、第１ガスケットによりパイプと第１ヒンジ筒との間を密封し、第２ガスケットによりパイプと第２ヒンジ筒との間を密封し、第１ヒンジキャップにより第１ヒンジ筒の第２端を密封するので、折畳み式電子装置のヒンジ部を完全に防水することができる。このようなヒンジ部の防水効果は、上述した特開２００２−３１９７７１号公報に開示された構造では期待できないものである。
【発明を実施するための最良の形態】
【００１７】
図１（Ａ）を参照すると、１軸ヒンジ構造の折畳み式携帯電話機の一部破断平面図が示されている。図１（Ｂ）は折り畳んだ状態の側面図である。図２（Ａ）は固定側入力ユニット（第１筐体）の平面図。図２（Ｂ）はその左側面図、図２（Ｃ）はその右側面図である。
【００１８】
図１（Ａ）に示すように、入力部４を有する第１筐体（固定側筐体）２とＬＣＤ等の表示部１０を有する第２筐体（可動側筐体）８はヒンジ機構１４を介して折り畳み可能に連結されている。
【００１９】
図２（Ａ）に示すように、第１筐体２はマイクロフォンを収容した送話部６及びアンテナを収容したアンテナ収容部７を更に有している。また、図１（Ａ）に示すように、第２筐体８はイヤフォンを収容した受話部１２を更に有している。
【００２０】
図３（Ａ）を参照すると、２軸ヒンジ構造の折畳み式携帯電話機の一部破断平面図が示されている。図３（Ｂ）は折り畳んだ状態の側面図である。図３（Ａ）に示すように、第２筐体８はヒンジ機構１４で第１筐体２に対して折り畳み可能に連結されると共に、配線材引き込み用中空軸１８回りに回転可能に取り付けられている。
【００２１】
図４を参照すると、本発明第１実施形態の断面図が示されている。図５は折り畳んだ状態の第１実施形態断面図である。第１筐体２は一体的に形成された一対のヒンジ筒２０，２２を有している。第２筐体８は第１筐体２の一対のヒンジ筒２０，２２の間に嵌合される一体的に形成されたヒンジ筒２４を有している。ヒンジ筒２０，２２，２４は実質上同一の内径を有している。第１及び第２筐体２，８は例えば樹脂から形成されている。
【００２２】
パイプ２６がヒンジ筒２０の一端及びヒンジ筒２４の一端に挿入され、更にヒンジモジュール４４がヒンジ筒２４の他端及びヒンジ筒２２に挿入されて、第２筐体８を第１筐体２に対して折り畳み可能に連結している。
【００２３】
ケーブル又はフレキシブルプリント配線板から成る配線材２８がパイプ２６内を通して伸長し、第１筐体２に搭載された電子部品と第２筐体８に搭載された電子部品とを接続している。
【００２４】
３０は第１筐体２の配線引き込み口であり、３２は第２筐体８の配線引き込み口である。パイプ２６は好ましくはステンレス鋼等の金属から形成されるが、樹脂から形成するようにしてもよい。
【００２５】
パイプ２６の外周面とヒンジ筒２０の外周面との間には２本のガスケット３４，３６が設けられ、パイプ２６の外周面とヒンジ筒２４の内周面との間にも２本のガスケット３８，４０が設けられている。更に、ヒンジ筒２０の他端はヒンジキャップ４２を接着することにより密閉されている。
【００２６】
このように、４本のガスケット３４〜４０をパイプ２６の外周面とヒンジ筒２０，２４の内周面との間に設けているため、このヒンジ部分は回転可能な防水構造を提供する。
【００２７】
ダブルガスケット３４，３６によりヒンジ筒２０の右端が密封され、ヒンジキャップ４２によりヒンジ筒２０の左端が密閉されているため、第１筐体２内に水分が浸入することが防止される。また、ダブルガスケット３８，４０によりヒンジ筒２４の左端が密封されているため、第２筐体８内に水分が浸入することが防止される。
【００２８】
ヒンジモジュール４４はヒンジ筒２２に挿入固定されたケース４６を有している。ケース４６は、一体的に形成された回転防止キー４８をヒンジ筒２２に形成されたキー溝に挿入することにより、ヒンジ筒２２に対して回転不能に取り付けられる。
【００２９】
ヒンジモジュール４４はケース４６に対して回動する回動部材５０を有しており、この回動部材５０はヒンジ筒２４に対して回転不能に取り付けられている。即ち、符号５２で示すキーとキー溝からなるキー構造により、回動部材５０はヒンジ筒２４に対して回転不能に取り付けられている。
【００３０】
図５に示すように、ヒンジモジュール４４は第１筐体２に一体的に形成された抜け止めリブ５６の先端がケース４６に形成された窪み５７に係合することにより、ヒンジ筒２２から右方向に抜け出るのが防止されている。
【００３１】
ヒンジモジュール２２のケース４６の外周面とヒンジ筒２４の内周面との間にはガスケット５４が設けられており、このガスケット５４によりヒンジモジュール４４の可動側の防水を提供している。
【００３２】
ヒンジモジュール４４が挿入されたヒンジ筒２２の右端はヒンジキャップ５８により密閉されている。このヒンジキャップ５８により、ヒンジモジュール４４の固定側ケース４６の内部が防水される。
【００３３】
図５に示されるように、第１筐体２はフロントケース２ａとリアケース２ｂとから構成され、フロントケース２ａとリアケース２ｂの接合面にはガスケット６０が装着されて第１筐体２内部を密封している。この密封構造の詳細については後で説明する。
【００３４】
図６はヒンジモジュール４４の縦断面図を示している。ヒンジモジュール４４は一体的に形成された回転防止キー４８を有するケース４６と、ケース４６内に収容された固定側カム板６２を有している。ケース４６と固定側カム板６２は樹脂から形成されている。上述したように、ケース４６はヒンジ筒２２内に挿入固定される。
【００３５】
ヒンジモジュール４４は更に、金属から形成された可動側カム板６４と、可動側カム板６４に接着された樹脂製の取り付け部材６６を含んでいる。取り付け部材６６はキー溝６８を有している。可動側カム板６４と取り付け部材６６で回動部材５０を構成する。
【００３６】
固定側カム板６２と可動側カム板６４の間には周方向に１８０°離間して一対のボール７０が挟持されている。これら一対のボール７０を収容する凹部が固定側カム板６２と可動側カム板６４の対向面にそれぞれ形成されている。
【００３７】
ケース４６と回動部材５０はヘッド７２ａを有する連結軸７２で連結され、その左端７４はカシメ固定されている。ケース４６内にはコイルバネ７６が収容され、固定側カム板６２を可動側カム板６４方向に付勢している。
【００３８】
ケース４６にはガスケット５４が取り付けられており、このガスケット５４により図４に示すように水分がヒンジモジュール４４の可動側に浸入するのを防止している。
【００３９】
以下、ヒンジモジュール４４の作用について説明する。第２筐体８が通話位置側から折り畳み位置側へ回動して、折り畳み位置の所定角度だけ手前の位置、例えば２０°だけ手前の位置に達すると、一対のボール７０が可動側カム板６４の凹部の周方向の一側部に入り込んで、凹部の傾斜面に突き当たる。
【００４０】
すると、コイルバネ７６の付勢力は可動側カム板６４を通話位置側から折り畳み位置側へ回動付勢する回動付勢力に変換される。この回動付勢力によって、第２筐体８が折り畳み位置まで回動させられると共に、折り畳み位置に維持される。
【００４１】
他方、第２筐体８が折り畳み位置側から通話位置側へ回動して通話位置の所定角度だけ手前の位置、例えば２０°だけ手前の位置に達すると、一対のボール７０が可動側カム板６４に形成された凹部の他側部に入り込んで、一対のボール７０が傾斜面に突き当たる。
【００４２】
この結果、コイルバネ７６の付勢力は回動部材５０を折り畳み位置側から通話位置側へ回動付勢する回動付勢力に変換される。この回動付勢力によって、第２筐体８が通話位置まで回動させられると共に、通話位置に維持される。
【００４３】
図７（Ａ）及び図７（Ｂ）は固定側ケース防水構造を有するヒンジモジュールの縦断面図をそれぞれ示している。図７（Ａ）に示すように、ヒンジモジュール４４Ａのケース４６の右端部は密閉キャップ７８により密閉されている。密閉キャップ７８は接着又は超音波溶着等によりケース４６に固定される。本実施形態の他の構造は、図６に示したヒンジモジュール４４と同様である。
【００４４】
図７（Ｂ）に示すように、ヒンジモジュール４４Ｂの右端部はケース４６に接着した防水ヒンジケース８２により密閉されている。本実施形態の他の構造は、図６に示したヒンジモジュール４４と同様である。
【００４５】
ヒンジモジュール４４Ａ及び４４Ｂでは、密閉キャップ７８又は防水ヒンジケース８２によりケース４６が密閉されているため、固定側ケース４６内部に水分が浸入することが防止される。
【００４６】
図８を参照すると、本発明第２実施形態の縦断面図が示されている。本実施形態は、防水信頼性を高めるために配線側のヒンジを２重の防水構造としたものである。
【００４７】
即ち、配線材２８を両端にガスケット８４ａ，８４ｂが一体的に形成されたチューブ８４中に収容し、ガスケット８４ａで第１筐体２の配線引き込み口３０を密封し、ガスケット８４ｂで第２筐体８の配線引き込み口３２を密封したものである。チューブ８４は例えばシリコーンゴム等の軟質材から形成する。
【００４８】
本実施形態の他の構造は、図４に示した第１実施形態と同様である。本実施形態では、配線材２８のねじれストレスを低下させ耐久性をうるために、スパンＳを長く取るようにしている。チューブ８４は図９（Ａ）に示すような予め曲がったチューブを使用する。
【００４９】
或いは、図９（Ｂ）に示すような蛇腹状のストレートチューブ８５を曲げて取り付けるようにしても良い。チューブ８５の両端にもガスケット８５ａ，８５ｂが一体的に形成されている。図９（Ｃ）は図９（Ｂ）のＰ部分の拡大断面図である。
【００５０】
図１０は第２筐体８側の配線引き込み口３２に適用されたガスケット部の防水構造の断面図を示している。即ち、Ｃ型板バネ８６によりガスケット８４ｂの法線方向に圧力を加え、ガスケット８４ｂを配線引き込み口３２を画成する第２筐体８に圧接させる。同様な防水構造を第１筐体２側の配線引き込み口３０にも適用可能である。
【００５１】
図１１を参照すると、本発明第３実施形態の縦断面図が示されている。本実施形態は、ヒンジモジュール４４の回動部材５０と一体的にヒンジ固定フック８８を形成し、このヒンジ固定フック８８をヒンジ筒２４に係合することにより、ヒンジモジュール４４の軸方向の抜けを防止したものである。
【００５２】
よって、本実施形態では第１及び第２実施形態のヒンジ抜け止めリブ５６は設けられていない。更に本実施形態では、ヒンジモジュール４４側の防水性をアップするために２本のガスケット５４，５４´を装着している。
【００５３】
図１２を参照すると、本発明第４実施形態の縦断面図が示されている。本実施形態では、ステンレス鋼等から形成された金属パイプ９０，９２，９４をヒンジ筒２０，２４にインサートし、防水精度を向上するようにしたものである。
【００５４】
即ち、筐体２，８が樹脂から形成されている場合、ねじれ等が発生し易くヒンジ部の防水性が落ちることがある。よって、本実施形態のように金属パイプ９０，９２，９４をガスケット部にインサートし、各ガスケット３４〜４０及び５４を金属パイプ９０，９２，９４に圧接させて防水構造とする。各ガスケットが圧接する対象が金属製のため、寸法変化がなく防水性能を向上できる。
【００５５】
図１３を参照すると、本発明第５実施形態の縦断面図が示されている。本実施形態は図１２に示した第４実施形態に類似しているが、ヒンジモジュール４４にガスケット９６を追加したものである。
【００５６】
ヒンジモジュール４４にガスケット９６を設けたため、ヒンジモジュール４４の固定側への水分の浸入を防止できる。よって、図６に示したようなケース４６が防水構造を有しないヒンジモジュール４４に適用して効果がある。
【００５７】
図１４を参照すると、本発明第６実施形態の縦断面図が示されている。図１５は折り畳んだ状態の第６実施形態縦断面図である。本実施形態は、２軸ヒンジ構造の折畳み式携帯電話機である。
【００５８】
ヒンジ筒１００は配線引き込み用中空軸１０２が一体的に形成された概略Ｔ形状をしている。ヒンジ筒１００の配線引き込み用中空軸１０２回りに回転可能に第２筐体８が取り付けられている。
【００５９】
配線引き込み用中空軸１０２と第２筐体８の嵌合部には、凹凸カム１０４、止め輪又はナット１０６、皿ばね１０８が設けられている。更に、ガスケット１１０が中空軸１０２と第２筐体８の嵌合部に設けられており、このガスケット１１０により水分が第２筐体８内に浸入するのを防止している。本実施形態の他の構成は図４に示した第１実施形態と同様である。
【００６０】
図１６（Ａ）はフロントケース８ａをＭｇ合金から形成した第２筐体（可動側筐体）８の縦断面図である。一般的に樹脂ケースは強度が低いため、本実施形態ではフロントケース８ａをＭｇ合金から形成し、リブ１１３をガスケット１１２に突き当てることにより、ガスケット１１２を上下方向に圧縮保持するようにしたものである。Ｍｇ合金に変えて、フロントケース８ａをＡｌ合金又はＺｎ合金から形成するようにしても良い。
【００６１】
図１６（Ｂ）は横圧縮構造のガスケット１１２を採用した第２筐体８の縦断面図を示している。この実施形態でも、フロントケース８ａをＭｇ合金等の金属から形成し、Ｕ形状リブ１１５でガスケット１１２を横方向に圧縮保持したものである。
【００６２】
図１６（Ａ）及び図１６（Ｂ）の実施形態において、フロントケース８ａとリアケース８ｂの外周側接合面に伸縮バンド１１７を接着することにより、ガスケット１１２とバンド１１７の２重シール構造を提供している。
【００６３】
図１７（Ａ）はフロントケース２ａにＭｇ合金から形成された金属ケースを採用し、更にガスケット６０と伸縮バンド１１８による２重シール構造を採用した第１筐体（固定側筐体）２の縦断面図を示している。本実施形態では、ガスケット６０は上下方向に圧縮保持されている。
【００６４】
図１７（Ｂ）に示す実施形態では、ガスケット６０は横方向に圧縮され保持されている。本実施形態の他の構造は図１７（Ａ）に示した実施形態と同様である。
【００６５】
図１８（Ａ）は第２筐体８のガスケット１１２の配置を概略的に示している。信頼性の高い防水構造とするためには、防水処理箇所を可能な限り作らなくすることが望ましい。このため、本実施形態の第２筐体８では、フロントケース８ａとリアケース８ｂを固定する複数のネジ１１４をガスケット１１２の外周側に配置している。
【００６６】
図１８（Ｂ）は第１筐体２のガスケット１１６の配置を概略的に示している。この第１筐体２の実施形態でも、フロントケース２ａとリアケース２ｂを固定する複数のネジ１１６をガスケット６０の外周側に配置している。
【００６７】
図１９はアンテナ部防水構造を有する第１筐体（固定側筐体）２の縦断面図を示している。従来の携帯電話機のアンテナは別部品を筐体に取り付ける構造であったため、取り付け部分の防水処理が必要であった。
【００６８】
本実施形態では、第１筐体２のリアケース２ｂを膨らませてアンテナ１３８を収容するアンテナ収容部７を形成したため、アンテナ取り付け部分から水分が筐体内に浸入することが完全に防止される。
【００６９】
第１筐体２の防水性を向上するため、フロントケース２ａはＭｇ合金等の金属から形成する。このため、アンテナ特性を満足するためには、マッチング回路１４２を搭載したアンテナ用プリント配線板１４０とフロントケース２ａとの間の距離Ｇを所定距離以上、例えば３ｍｍ以上離す必要がある。
【００７０】
図１９において、符号１２２はスイッチシート１２４、樹脂キートップ１２６、スイッチ押し用突起１２８及び化粧パネル１３２から構成される防水スイッチモジュールである。
【００７１】
第１筐体２内にはプリント配線板１２０が収容されており、このプリント配線板１２０とスイッチシート１２４はコネクター１３４及びフレキシブルプリント配線板１３６を介して接続されている。
【００７２】
以上の説明では、本発明を折畳み式携帯電話機に適用した例について説明したが、本発明はこれに限定されるものではなく、例えばパーソナル・デジタル・アシスタンツ（ＰＤＡ）、ノートブック・パーソナル・コンピュータ（ノートＰＣ）等の折畳み式電子装置にも同様に適用可能である。
【００７３】
本発明は以下の付記を有する。
（付記１）  折畳み式電子装置であって、
第１端及び第２端を有する一体的に形成された第１ヒンジ筒を有する第１筐体と、
第１端及び第２端を有する一体的に形成された第２ヒンジ筒を有する第２筐体と、
前記第１ヒンジ筒の第１端及び前記第２ヒンジ筒の第１端に挿入され、前記第２筐体を前記第１筐体に対して折り畳み可能に連結するパイプと、
前記パイプ内を通して伸長し、前記第１筐体に搭載された第１電子部品と前記第２筐体に搭載された第２電子部品を接続する配線材と、
前記パイプと前記第１ヒンジ筒との間に設けられた第１ガスケットと、
前記パイプと前記第２ヒンジ筒との間に設けられた第２ガスケットと、
前記第１ヒンジ筒の第２端を密封する第１ヒンジキャップと、
を具備したことを特徴とする折畳み式電子装置。
（付記２）  一端に第３ガスケットを他端に第４ガスケットを有し、前記配線材を内部に収容して前記パイプ内を通して伸長するチューブを更に具備し、
前記第３ガスケットは前記第１筐体の配線材引き込み部を密封し、前記第４ガスケットは前記第２筐体の配線引き込み部を密封する付記１記載の折畳み式電子装置。
（付記３）  前記配線材はケーブル又はフレキシブルプリント配線板の何れかから構成される付記１記載の折畳み式電子装置。
（付記４）  前記第１ヒンジ筒の第１端に挿入され、前記第１ガスケットに圧接する内周面を有する第１金属パイプと、
前記第２ヒンジ筒の第１端に挿入され、前記第２ガスケットに圧接する内周面を有する第２金属パイプを更に具備した付記１記載の折畳み式電子装置。
（付記５）  前記第１筐体と一体的に形成され、第１端及び第２端を有する第３ヒンジ筒と、
一端が前記第２ヒンジ筒の第２端に挿入され、他端が前記第３ヒンジ筒の第１端に挿入されたヒンジモジュールと、
前記ヒンジモジュールと前記第２ヒンジ筒との間に設けられた第５ガスケットと、
前記第３ヒンジ筒の第２端を密封する第２ヒンジキャップと、
を更に具備した付記１記載の折畳み式電子装置。
（付記６）  前記第１筐体と一体的に形成され、先端が前記ヒンジモジュールに係合してその抜けを防止する抜け止めリブを更に具備した付記５記載の折畳み式電子装置。
（付記７）  前記ヒンジモジュールに固定されたフックを更に具備し、
該フックを前記第２ヒンジ筒に差し込むことにより前記ヒンジモジュールの抜けを防止する付記５記載の折畳み式電子装置。
（付記８）  前記ヒンジモジュールは、
前記第３ヒンジ筒に挿入固定されたケースと、
該ケース内に収容された固定側カム板と、
前記第２ヒンジ筒の第２端に回転不能に挿入された可動側カム板と、
前記固定側カム板と前記可動側カム板で挟持された複数のボールと、
前記ケースと前記可動側カム板を連結する連結軸と、
前記ケース内に収容され前記固定側カム板を前記可動側カム板方向に付勢するコイルばねを含んでいる付記５記載の折畳み式電子装置。
（付記９）  前記ヒンジモジュールは前記ケースの端部を密閉する密閉キャップを更に含んでいる付記８記載の折畳み式電子装置。
（付記１０）  前記ヒンジモジュールは前記ケースの端部を密閉する防水ヒンジケースを更に含んでいる付記８記載の折畳み式電子装置。
（付記１１）  前記第１筐体はフロントケースと、リアケースと、該フロントケースとリアケースの接合面に介装された第６ガスケットと、該フロントケースをリアケースに対して固定する複数のネジとから構成され、
前記複数のネジは前記第６ガスケットの外周側に配置されている付記１記載の折畳み式電子装置。
（付記１２）  前記フロントケースは金属から形成される付記１１記載の折畳み式電子装置。
（付記１３）  前記リアケースはアンテナを収容するアンテナ収容部を有しており、
前記アンテナ収容部に収容されたアンテナと、該アンテナに接続されたマッチング回路を有するアンテナ用プリント配線板とを更に具備し、
前記アンテナ用プリント配線板と前記金属製フロントケースは所定距離以上離間している付記１２記載の折畳み式電子装置。
（付記１４）  前記第４筐体はフロントケースと、リアケースと、該フロントケースとリアケースとの接合面に介装された第７ガスケットと、前記フロントケースを前記リアケースに対して固定する複数のネジとから構成され、
前記複数のネジは前記第７ガスケットの外周側に配置されている付記１記載の折畳み式電子装置。
（付記１５）  前記フロントケースは金属から形成される付記１４記載の折畳み式電子装置。
（付記１６）  折畳み式電子装置であって、
第１端及び第２端を有する一体的に形成された第１ヒンジ筒を有する第１筐体と、
配線材引き込み用中空軸と、第１端及び第２端とを有する第２ヒンジ筒と、
前記第２ヒンジ筒の前記配線材引き込み用中空軸が回転可能に挿入された第２筐体と、
前記第１ヒンジ筒の第１端及び前記第２ヒンジ筒の第１端に挿入され、前記第２筐体を前記第１筐体に対して折り畳み可能に連結するパイプと、
前記パイプ内を通して伸長し、前記第１筐体に搭載された第１電子部品と前記第２筐体に搭載された第２電子部品を接続する配線材と、
前記パイプと前記第１ヒンジ筒との間に設けられた第１ガスケットと、
前記パイプと前記第２ヒンジ筒との間に設けられた第２ガスケットと、
前記第１ヒンジ筒の第２端を密封する第１ヒンジキャップと、
前記第２ヒンジ筒の前記配線材引き込み用中空軸と前記第２筐体との間に設けられた第３ガスケットと、
を具備したことを特徴とする折畳み式電子装置。
（付記１７）  前記配線材はケーブル又はフレキシブルプリント配線板の何れかから構成される付記１６記載の折畳み式電子装置。
（付記１８）  前記第１ヒンジ筒の第１端に挿入され、前記第１ガスケットに圧接する内周面を有する第１金属パイプと、
前記第２ヒンジ筒の第１端に挿入され、前記第２ガスケットに圧接する内周面を有する第２金属パイプを更に具備した付記１６記載の折畳み式電子装置。
（付記１９）  前記第１筐体と一体的に形成され、第１端及び第２端を有する第３ヒンジ筒と、
一端が前記第２ヒンジ筒の第２端に挿入され、他端が前記第３ヒンジ筒の第１端に挿入されたヒンジモジュールと、
前記ヒンジモジュールと前記第２ヒンジ筒との間に設けられた第４ガスケットと、
前記第３ヒンジ筒の第２端を密封する第２ヒンジキャップと、
を更に具備した付記１６記載の折畳み式電子装置。
【図面の簡単な説明】
【００７４】
【図１】図１（Ａ）は１軸ヒンジ構造を有する折畳み式携帯電話機の一部破断平面図、図１（Ｂ）は折り畳んだ状態のその側面図である。
【図２】図２（Ａ）は固定側入力ユニット（第１筐体）の平面図、図２（Ｂ）はその左側面図、図２（Ｃ）はその右側面図である。
【図３】図３（Ａ）は２軸ヒンジ構造を有する折畳み式携帯電話機の一部破断平面図、図３（Ｂ）は折り畳んだ状態のその側面図である。
【図４】本発明第１実施形態の縦断面図である。
【図５】折り畳んだ状態の第１実施形態の縦断面図である。
【図６】ヒンジモジュールの縦断面図である。
【図７】図７（Ａ）は固定側ケース防水構造を有するヒンジモジュール縦断面図、（図７Ｂ）は他の固定側ケース防水構造を有するヒンジモジュールの縦断面図である。
【図８】本発明第２実施形態の縦断面図である。
【図９】図９（Ａ）は曲げ部を有するチューブを示す図、図９（Ｂ）はストレートチューブを示す図、図９（Ｃ）は図９（Ｂ）のＰ部分の拡大断面図である。
【図１０】第２筐体の配線材引き込み部のガスケット防水構造を示す断面図である。
【図１１】本発明第３実施形態の縦断面図である。
【図１２】本発明第４実施形態の縦断面図である。
【図１３】本発明第５実施形態の縦断面図である。
【図１４】本発明第６実施形態の縦断面図である。
【図１５】折り畳んだ状態の第６実施形態の縦断面図である。
【図１６】図１６（Ａ）は上下圧縮ガスケットを有する可動側筐体（第２筐体）縦断面図、図１６（Ｂ）は横圧縮ガスケットを有する可動側筐体縦断面図である。
【図１７】図１７（Ａ）は上下圧縮ガスケットを有する固定側筐体（第１筐体）縦断面図、図１７（Ｂ）は横圧縮ガスケットを有する固定側筐体縦断面図である。
【図１８】図１８（Ａ）は可動側筐体のガスケットの配置を示す図、図１８（Ｂ）は固定側筐体のガスケットの配置を示す図である。
【図１９】アンテナ部防水構造を有する固定側筐体の縦断面図である。
【符号の説明】
【００７５】
２    固定側筐体（第１筐体）
４    入力部
６    送話部
８    可動側筐体（第２筐体）
１０    表示部
１２    受話部
２０，２２，２４    ヒンジ筒
２６    パイプ
２８    配線材
３４，３６，３８，４０，５４    ガスケット
４４    ヒンジモジュール
４６    ケース
８４    チューブ
９０，９２，９４    金属パイプ
【図１】
2005282776.tif 000003
【図２】
2005282776.tif 000004
【図３】
2005282776.tif 000005
【図４】
2005282776.tif 000006
【図５】
2005282776.tif 000007
【図６】
2005282776.tif 000008
【図７】
2005282776.tif 000009
【図８】
2005282776.tif 000010
【図９】
2005282776.tif 000011
【図１０】
2005282776.tif 000012
【図１１】
2005282776.tif 000013
【図１２】
2005282776.tif 000014
【図１３】
2005282776.tif 000015
【図１４】
2005282776.tif 000016
【図１５】
2005282776.tif 000017
【図１６】
2005282776.tif 000018
【図１７】
2005282776.tif 000019
【図１８】
2005282776.tif 000020
【図１９】
2005282776.tif 000021